(57)【要約】【課題】提供できる商品情報量を向上させるとともに、他の陳列構成に比べて高いアイキャッチ効果を得ることのできる商品陳列用トレイを提供する。【解決手段】商品陳列用トレイ１０は、商品を陳列するトレイ部１と、支持部２ａの上端から斜め前方下向きに延設された第１表示板部２ｂ、および、板状の表示部とこの表示部の左右両縁部から下方に垂下する延設部から内側に突出するピン状凸部３ｂとを有する第２表示板部３とからなる商品情報表示部２を備え、これら第２表示板部３の左右の各ピン状凸部３ｂ，３ｂを、商品情報表示部２ｂの左右両側面のフランジ部２ｃ，２ｃに形成された長穴状の各スリット２ｄ，２ｄにそれぞれ嵌入させて、上記第２表示板部３が、第１表示板部２ｂの上面の傾斜に沿って上下方向にスライド可能に取り付けられている。【選択図】図１
2015228889.tif 000002
【特許請求の範囲】
【請求項１】
商品陳列棚の棚板の上に載置される商品陳列用トレイであって、上面に商品を整列させて並べるためのトレイ部と、上記トレイ部の前端部に立設された支持部の上端から斜め前方下向きに延設された第１表示板部と、板状の表示部とこの表示部の左右両縁部から下方に垂下する延設部の内側に突設されたピン状凸部とを有する第２表示板部と、からなる商品情報表示部を備え、上記第１表示板部の左右両側面には、第１表示板部の傾斜に沿って延びる所定形状のスリットを有するスライド支持部が、第１表示板部の左右両縁部から下方に向かって延設され、この第１表示板部の左右の各スリットに、上記第２表示板部の左右の各ピン状凸部が、それぞれ嵌入されて、この第２表示板部が、第１表示板部の上面の傾斜に沿って上下方向にスライド可能に取り付けられていることを特徴とする商品陳列用トレイ。
【請求項２】
上記スライド支持部のスリットの上端部に、このスリット内の上記ピン状凸部を嵌め入れて第２表示板部のスライドを係止するための下向き凹部が形成されている請求項１記載の商品陳列用トレイ。
【発明の詳細な説明】
【技術分野】
【０００１】
本発明は、商品陳列棚等に商品を陳列する際に、商品を棚板の上に整列させて載置するとともに、陳列した商品の前面に、商品名や価格，特徴等の商品情報を提示してアピールするための表示板部を備える商品陳列用トレイに関するものである。
【背景技術】
【０００２】
化粧品販売店やドラッグストア等においては、店員に相談することなく、それを購入しようとする顧客自身が、店頭で化粧品や医薬品，生活用品等を自由に選択することができるように、大形の商品陳列用什器が列状に並べられている。この什器の棚板に並べられる化粧品等の商品パッケージは様々で、小さな箱形やブリスターパック等から、ボトル形，チューブ形，パウチ形等の中形の不定型パッケージにまで及ぶ。そこで、これらの商品を整列させて見栄えよく陳列するために、商品陳列用トレイが用いられている（特許文献１，２等を参照）。
【０００３】
図６は、従来の商品陳列用トレイの構成を示す図である。この商品陳列用トレイ２０は、図６（ａ）に示すように、商品を整列させて載置するためのトレイ部２１と、このトレイ部２１の前端縁部に立設される支持部２２ａおよびこの支持部２２ａの上端縁部から前方に略水平に延び、その後この水平部位の前端縁から斜め前方下向きに延びる表示板部２２ｂからなる商品情報表示部２２と、から構成されており、図６（ｂ）のように、棚板上に複数個並べて配置される。
【０００４】
また、上記商品情報表示部２２の表示板部２２ｂの下部には、紙製カード等を保持するための折り返し部が設けられており、通常、この部位を利用して、商品情報表示部２２の後ろ側に陳列された商品の商品名や価格等を記載した商品情報カードが、トレイ前方に向けて提示される。
【先行技術文献】
【特許文献】
【０００５】
【特許文献１】特開２０００−２３７００１号公報
【特許文献２】特開２００１−０４６１９３号公報
【発明の概要】
【発明が解決しようとする課題】
【０００６】
しかしながら、上記のような従来の商品陳列用トレイ２０では、表示板部２２ｂの表示面積が限られており、提供できる情報量が少ないという問題がある。また、類似の陳列構成が多いことから、他の陳列構成と差別化することが難しく、アイキャッチ効果の高い陳列構成にならないおそれがあるため、その改善が望まれている。
【０００７】
本発明は、このような事情に鑑みてなされたもので、提供できる商品情報量を向上させるとともに、他の陳列構成に比べて高いアイキャッチ効果を得ることのできる商品陳列用トレイの提供をその目的とする。
【課題を解決するための手段】
【０００８】
上記の目的を達成するため、本発明の商品陳列用トレイは、商品陳列棚の棚板の上に載置される商品陳列用トレイであって、上面に商品を整列させて並べるためのトレイ部と、上記トレイ部の前端部に立設された支持部の上端から斜め前方下向きに延設された第１表示板部と、板状の表示部とこの表示部の左右両縁部から下方に垂下する延設部の内側に突設されたピン状凸部とを有する第２表示板部と、からなる商品情報表示部を備え、上記第１表示板部の左右両側面には、第１表示板部の傾斜に沿って延びる所定形状のスリットを有するスライド支持部が、第１表示板部の左右両縁部から下方に向かって延設され、この第１表示板部の左右の各スリットに、上記第２表示板部の左右の各ピン状凸部が、それぞれ嵌入されて、この第２表示板部が、第１表示板部の上面の傾斜に沿って上下方向にスライド可能に取り付けられている商品陳列用トレイを第１の要旨とする。
【０００９】
そして、本発明は、そのなかでも、上記スライド支持部のスリットの上端部に、このスリット内の上記ピン状凸部を嵌め入れて第２表示板部のスライドを係止するための下向き凹部が形成されている商品陳列用トレイを第２の要旨とする。
【００１０】
本発明は、商品陳列棚の棚板の上に載置される商品陳列用トレイにおいて、トレイ前端部に設けられる商品情報表示部の一部をスライド可能に形成することにより、その商品情報表示部を、商品を購入しようとする顧客により近く、しかも、他の陳列の邪魔にならない状態で、表示面積を拡張し、特徴やキャッチフレーズ，写真等の商品情報をより多く提示できるようにしたものである。
【発明の効果】
【００１１】
すなわち、本発明の商品陳列用トレイによれば、トレイ部の前端部に延設された第１表示板部の左右両側面に、その傾斜に沿って延びる長穴状のスリットを有するスライド支持部が形成され、この左右のスリットに、第２表示板部の左右の延設部に設けられた内向きの係合用ピン状凸部が、それぞれ嵌め入れられている。そして、上記スリットによる係合用ピン状凸部の案内を利用して、第２表示板部を第１表示板部の上面の傾斜に沿ってスライドさせ、この第２表示板部の下側に隠れていた第１表示板部の上面を露出させることにより、商品の情報表示に利用できる表示部を拡張することができる。
【００１２】
また、上記第２表示板部は、上記スライドにより、従来品と同様のトレイ部前端位置にある第１表示板部に比べ、その位置を、顧客により近い位置に移動させることができる。しかも、上記第２表示板部は、上記長穴状のスリットの下端までスライドさせた場合、その板状の表示部が、スリットの下端で位置固定されたピン状凸部を回転中心として下側に回動し、第１表示板部の先端から下方に垂れ下がる配置となる。この配置は、従来の陳列構成では利用されていない、この商品陳列用トレイが載置されている棚板とその下の棚板との間の空間を利用するものであり、空きスペースの有効活用となる。しかも、このスペースに垂れ下がる第２表示板部は、下の棚板上の商品の出し入れの邪魔にならず、仮に人の手が当たったとしても、けが等することなく、上記第２表示板部が揺動するだけで、商品取り出しの障害とはならない。
【００１３】
そして、上記商品陳列用トレイのなかでも、上記スライド支持部のスリットの上端に下向き凹部が形成されているものは、このスリット内に位置する上記第２表示板部のピン状凸部を嵌め入れて、この第２表示板部のスライドを簡単に係止することが可能になる。これにより、第２表示板部を、第１表示板部の上に重ねるか、あるいは、第１表示板部の前端から吊り下げて下に垂らすか、の切り替えを簡単に行うことができる。
【図面の簡単な説明】
【００１４】
【図１】（ａ），（ｂ）は本発明の実施形態の商品陳列用トレイにおける表示板部のスライド前後の状態を示す説明図であり、（ｃ）は商品陳列用トレイの分解斜視図である。
【図２】上記商品陳列用トレイを陳列棚上に複数並べた状態を示す説明図である。
【図３】商品陳列用トレイにおけるスライド式表示板部の変形例を示す説明図である。
【図４】商品陳列用トレイにおけるスライド式表示板部の他の変形例を示す説明図である。
【図５】（ａ），（ｂ）は、本発明の他の実施形態の商品陳列用トレイの構成を示す分解斜視図である。
【図６】（ａ）従来の商品陳列用トレイ単体の斜視図であり、（ｂ）は陳列棚上に複数の商品陳列用トレイを並べた状態を示す説明図である。
【発明を実施するための形態】
【００１５】
つぎに、本発明の実施の形態を、図面にもとづいて詳しく説明する。ただし、本発明は、この実施の形態に限定されるものではない。
【００１６】
図１は、本実施形態における商品陳列用トレイの構成を示す説明図であり、図２は、この商品陳列用トレイを、商品陳列用什器の棚板の上に複数並べた状態を示す説明図である。なお、本実施形態では、上記商品陳列用什器の棚板における商品購入者（顧客）側を「前」側または「手前」（正面）側とし、棚板の基部側を「後」側または「奥」（背面）側と呼ぶ。また、「上下」は、棚板および商品陳列用トレイにおける上下をそのまま使用し、「左右」は、上記商品陳列用トレイに対峙する顧客の視点を基準とする。
【００１７】
本実施形態の商品陳列用トレイ１０の基本構成は、前記従来の商品陳列用トレイ（図６，符号２０参照）と同様、商品を陳列するためのトレイ部１と、このトレイ部１の前端から手前側に向けて突出する商品情報表示部２とから形成されている。そして、商品情報表示部２は、トレイ部１から延設され固定された第１表示板部２ｂと、この第１表示板部２ｂに案内されてスライドする第２表示板部３とを備えている。これが、本発明の商品陳列用トレイの特徴である。
【００１８】
商品陳列用トレイ１０について、詳しく説明すると、上記商品陳列用トレイ１０は樹脂製で、上記トレイ部１と、これに連続する第１表示板部２ｂとは、トレイ部１前端の支持部２ａを介して一体に成形されており、棚板の手前−奥方向のトレイ横幅は、陳列する商品にあわせて、複数の所定規格幅〔例えば、Ｓ（５０ｍｍ幅），Ｍ（７５ｍｍ幅），Ｌ（９０ｍｍ幅）の３規格等〕のいずれかに設計されている。
【００１９】
上記トレイ部１は、上面に向けて開口する、断面コの字状の浅い箱形であり、商品を載置するための底部１ａと、その長手方向の縁部から立設された側部１ｂ，１ｂとからなる。また、各側部１ｂの内壁面には、仕切り板（図示せず）を設置するための仕切り板固定部となる、平行する一対のリブ１ｃ，１ｃが、所定の間隔ごとに設けられている。
【００２０】
第１表示板部２ｂは、それ自身に貼り付け等されるシールやカード等のＰＯＰツールを用いた情報提示機能と、後記の第２表示板部３のスライド基台としての機能を兼用するように設計されており、図１（ｃ）に示すように、上記トレイ部１の前端に立設された逆Ｌ字状の支持部２ａ上端の水平部位の前端から、手前方向に斜め下向きに延設されている。
【００２１】
上記支持部２ａは、トレイ部１の前端を上方に延設して設けられているもので、第２表示板部３の荷重を支承できるように、比較的厚めの板状となっており、その上端部は、Ｌ字状に手前側に折り曲げられ、トレイ部１の底部１ａに略平行な水平部に形成されている。
【００２２】
また、上記第１表示板部２ｂは、支持部２ａ上端の水平部を、斜め前方下向きに延長するように一体に形成されており、その左右両側面には、第１表示板部２ｂの縁部から下方に向かって垂下するフランジ部２ｃ，２ｃがそれぞれ設けられている。そして、これらフランジ部２ｃ，２ｃに、各フランジ部２ｃの内側に貫通する、第２表示板部３案内用のスリット２ｄ，２ｄが形成されている。なお、上記第１表示板部２ｂの前端は、安全のために丸みを帯びたＲ形状となっている。また、上記案内用の各スリット２ｄの支持部２ａ側上端には、第２表示板部３固定用の下向き凹部２ｅが、それぞれ形成されている。
【００２３】
つぎに、上記第１表示板部２ｂの上方に配設される第２表示板部３は、比較的軽量な薄板状で、その支持部２ａ側の左右両縁部から下方に向かって、舌片状のアーム３ａ，３ａがそれぞれ延設されている。また、これら各アーム３ａ，３ａの先端部位には、互いに内側に向けて突出する、スライド案内用のピン状凸部３ｂ，３ｂがそれぞれ形成されている。そして、図１（ａ）に示すように、これら各ピン状凸部３ｂを、それぞれ対応する第１表示板部２ｂの長穴状スリット２ｄに嵌め入れて、上記第２表示板部３が、第１表示板部２ｂの上面に取り付けられている。
【００２４】
以上の構成により、本実施形態における商品陳列用トレイ１０は、図１（ｂ）に示すように、第１表示板部２ｂ上の第２表示板部３をスライドさせ、この第２表示板部３の下面側に隠れていた第１表示板部２ｂの上面を、簡単に顧客側に露出させることができる。この状態では、スライドさせる前から顧客に見えていた第２表示板部３の上面に加え、上記露出した第１表示板部２ｂの上面を、広告や情報表示に利用することができる。したがって、本発明の商品陳列用トレイ１０は、上記第２表示板部３のスライドにより、商品情報用の表示スペースを簡単に拡張することが可能である。
【００２５】
さらに、図２に示すように、第２表示板部３をスライドさせた状態〔図１（ｂ）の状態〕の商品陳列用トレイ１０を棚板上に並べた際は、下の棚板（図示せず）の陳列の邪魔になることなく、下の棚板との間の空間を、有効な広告表示スペースとして利用することができる。また、上記商品陳列用トレイ１０を複数並べた場合は、横に繋がる広い情報表示面を利用して、写真やポスター等を使用した、より印象的な広告を展開することも可能である。
【００２６】
そして、上記商品陳列用トレイ１０は、特売日やタイムセール等、日単位やあるいは時間単位での情報表示の切り替えに、容易に対応できる。また、商品入れ替えや改装等に伴うリニューアル時においても、上記第２表示板部３上面のカードやシール等のＰＯＰツールを新たなものに交換するか、あるいは、第２表示板部３を、形状やタイプが新しいものに交換することにより、その交換にかかる費用を抑えながら、広告イメージや商品情報表示を、より印象の強いものに変更することができる。
【００２７】
図３，図４は、上記スライドする側の第２表示板部３を別のタイプのものに交換した変形例を示す斜視図である。すなわち、図３に示す商品陳列用トレイは、上記交換用の第２表示板部としては、斜面方向の長さが短い第２表示板部３’を用いた例である。また、図４に示す商品陳列用トレイは、その上面〔スライドさせた後の図４の状態では前面〕がカード等を挟み込めるように二重構造になっている第２表示板部４を用いた例である。
【００２８】
なお、上記のような第２表示板部３等の交換作業を容易にするために、図５に示すように、第１表示板部２ｂのフランジ部２ｃ，２ｃに、案内用各スリット２ｄ，２ｄを上面に向かって連通させる溝２ｆ，２ｆを設けてもよい。この構成により、例えば、図５（ａ）に示す第２表示板部３と、上述の各第２表示板部３’，４等を簡単に交換することができる。また、目的や用途に応じて、上記第２表示板部３とは印象の異なる、図５（ｂ）に示すような第２表示板部５と交換することもできる。なお、図５（ｂ）中の符号５ａは、第２表示板部５のアームを、符号５ｂはスライド案内用のピン状凸部を示す。
【００２９】
また、本発明の商品陳列用トレイは、化粧品や医薬品等以外にも、食品や生活用品、消耗品等、多種の商品を並べて陳列する用途に用いることができる。
【産業上の利用可能性】
【００３０】
本発明の商品陳列用トレイは、化粧品や医薬品等を陳列する陳列棚や陳列台等の棚板の上に載置され、それを購入しようとする顧客により近い場所で、これら商品に関する多くの情報を提供する用途に適する。
【符号の説明】
【００３１】
１  トレイ部
２  商品情報表示部
２ａ  支持部
２ｂ  第１表示板部
２ｃ  フランジ部
２ｄ  スリット
３  第２表示板部
３ｂ  ピン状凸部
１０  商品陳列用トレイ
【図１】
2015228889.tif 000003
【図２】
2015228889.tif 000004
【図３】
2015228889.tif 000005
【図４】
2015228889.tif 000006
【図５】
2015228889.tif 000007
【図６】
2015228889.tif 000008